(57)【要約】      （修正有）【課題】安全性に優れたバックルを提供する。【解決手段】バックル本体に設けられたプレート挿入空間１０の前側開口部に一対の係合爪１２を揺動可能に設け、各係合爪１２の外側に形成された操作片部１３の端部がプレート挿入空間１０の両側に設けられたストッパ８ａに当接する方向に係合爪１２をばね１４によって付勢する。タングプレート２０に設けられた挿入プレートにネック部と広幅のヘッド部２８ｂとを設け、挿入プレートを一対の係合爪１２間に挿入し、ヘッド部２８ｂの後端に対する係合爪１２の係合によってバックル本体とタングプレート２０を結合状態とする。その結合状態で操作片部１３の端部がストッパ８ａと当接する状態を維持するようにして、操作片部１３の端部が障害物に対する当接により係合爪１２が係合解除方向に揺動するのを防止する。【選択図】図３
2005160611.tif 000002
【特許請求の範囲】
【請求項１】
バックル本体と、そのバックル本体に対して係脱されるタングプレートとから成り、前記タングプレートには、ネック部の先端に幅広のヘッド部を連設した挿入プレートを設け、前記バックル本体には、前記挿入プレートが挿入されるプレート挿入空間を設け、そのプレート挿入空間の前側開口部における両側部に、前記ヘッド部の後端に対する係合によって挿入プレートを抜け止めする一対の揺動可能な係合爪を設け、各係合爪の外側部にプレート挿入空間の両側開口から外部に端部が臨む操作片部を連設し、その操作片部の端部がプレート挿入空間の両側開口部に設けられたストッパと当接する方向に係合爪を付勢するばねを設け、前記操作片部の押圧により係合爪を外方向に揺動させて係合爪とヘッド部の後端の係合を解除させるようにしたバックルにおいて、前記係合爪がヘッド部の後端に係合する状態で操作片部の端部がストッパに当接する状態を維持するようにし、前記係合爪の係合状態で係合爪とタングプレート間に、タングプレートの押込みを可能とする遊びを設け、前記挿入プレートの両側には前記遊びの範囲でタングプレートが押し込まれたときに係合爪を押圧して係合解除操作ができる位置まで揺動させる押圧部を設けたことを特徴とするバックル。
【請求項２】
前記押圧部が、ネック部の両側に設けられたテーパ面から成る請求項１に記載のバックル。
【請求項３】
前記押圧部が、ネック部の後端部に設けたショルダ部から成る請求項１に記載のバックル。
【発明の詳細な説明】
【技術分野】
【０００１】
この発明は、安全帯の胴ベルト等に取付けられるバックルに関するものである。
【背景技術】
【０００２】
一般に、一般高所用安全帯や柱上用安全帯の胴ベルトにはバックルが取付けられ、そのバックルによって胴ベルトを締付け状態に保持している。
【０００３】
上記バックルとして、スライド式や折り返し式のものが存在するが、操作が煩わしく、胴ベルトの締付け側の端部の挿入に誤りがあると、胴ベルトが外れて事故を引きおこすおそれがあり、安全性に問題があった。
【０００４】
そこで、近年、操作性に優れた連結式のバックルが採用されるようになってきている。この連結式バックルとして、特許文献１に記載されたものが従来から知られている。
【０００５】
図７は、特許文献１に記載されたバックルを示す。このバックルは、バックル本体４０に形成されたプレート挿入空間４１の前側開口部における両側に一対の揺動可能な係合爪４２を設け、その係合爪４２にばね４３の弾性を付与して、各係合爪４２の外側部に設けられた操作片部４４の端部がプレート挿入空間４１の両側開口に設けられたストッパ４５に当接する方向に係合爪４２を付勢し、その一対の係合爪４２間にタングプレート４６に設けられた挿入プレート４７を挿入し、挿入プレート４７の先端部に設けられたヘッド部４７ａの後端に一対の係合爪４２を係合させて、バックル本体４０とタングプレート４６とを結合状態に保持するようにしている。
【０００６】
また、バックル本体４０とタングプレート４６の結合解除に際しては、各係合爪４２に設けられた操作片部４４の端部をタングプレート４６に向けて押圧し、各係合爪４２の揺動により、その係合爪４２とヘッド部４７ａの後端の係合を解除して、タングプレート４６を引き、挿入プレート４７を一対の係合爪４２間より引き抜くようにしている。
【０００７】
上記バックルにおいては、バックル本体４０、タングプレート４６、一対の係合爪４２およびばね４３から成る部品点数の少ない簡単な構成であるため、コストも安く、また、薄型、軽量であって取り扱いが容易であるという特徴を有している。
【特許文献１】意匠登録第１１８９１５２号公報
【発明の開示】
【発明が解決しようとする課題】
【０００８】
ところで、上記特許文献１に記載されたバックルにおいては、バックル本体４０とタングプレート４６の結合状態で係合爪４２に設けられた操作片部４４の端部がバックル本体４０の両側より外部に大きく露出するため、高所での作業時に、操作片部４４の端部が障害物に当接すると、係合爪４２が係合解除方向に揺動して、バックル本体４０とタングプレート４６の結合が解除されるおそれがあり、安全性を高めるうえにおいて、改善すべき点が残されている。
【０００９】
この発明は、部品点数の少ない簡単な構成の取り扱いの容易な上記バックルにおいて、安全性の向上を図ることを技術的課題としている。
【課題を解決するための手段】
【００１０】
上記の課題を解決するために、この発明においては、バックル本体と、そのバックル本体に対して係脱されるタングプレートとから成り、前記タングプレートには、ネック部の先端に幅広のヘッド部を連設した挿入プレートを設け、前記バックル本体には、前記挿入プレートが挿入されるプレート挿入空間を設け、そのプレート挿入空間の前側開口部における両側部に、前記ヘッド部の後端に対する係合によって挿入プレートを抜け止めする一対の揺動可能な係合爪を設け、各係合爪の外側部にプレート挿入空間の両側開口から外部に端部が臨む操作片部を連設し、その操作片部の端部がプレート挿入空間の両側開口部に設けられたストッパと当接する方向に係合爪を付勢するばねを設け、前記操作片部の押圧により係合爪を外方向に揺動させて係合爪とヘッド部の後端の係合を解除させるようにしたバックルにおいて、前記係合爪がヘッド部の後端に係合する状態で操作片部の端部がストッパに当接する状態を維持するようにし、前記係合爪の係合状態で係合爪とタングプレート間に、タングプレートの押込みを可能とする遊びを設け、前記挿入プレートの両側には前記遊びの範囲でタングプレートが押し込まれたときに係合爪を押圧して係合解除操作できる位置まで揺動させる押圧部を設けた構成を採用したのである。
【００１１】
ここで、押圧部は、ネック部の両側に設けられたテーパ面から成るものであってもよく、あるいはネック部の後端部に設けられたショルダ部から成るものであってもよい。
【発明の効果】
【００１２】
以上のように、この発明においては、バックル本体とタングプレートの結合状態で操作片部の端部がストッパと当接する状態を維持するようにしたので、操作片部の端部が障害物に対する当接により押されて係合爪が係合解除方向に揺動するのを防止することができ、安全性に優れたバックルを得ることができる。
【００１３】
また、バックル本体とタングプレートの結合状態でタングプレートを押し込むと、押圧部が係合爪を押圧して係合爪を外側方に向けて揺動させるため、操作片部の端部をバックル本体の両側から外側方に大きく露出させることができる。このため、操作片部の端部の押圧により、係合爪を係合解除位置に向けて簡単に揺動させることができ、従来のバックルと同様に、結合解除の操作性に優れたバックルを得ることができる。
【発明を実施するための最良の形態】
【００１４】
以下、この発明の実施形態を図１乃至図６に基づいて説明する。図１乃至図５はこの発明に係るバックルの第１の実施形態を示す。図１乃至図４に示すように、バックルは、バックル本体１と、タングプレート２０とから成る。
【００１５】
バックル本体１は、第１プレート２と、その第１プレート２の表面と間隔をおいて対向配置された第２プレート３とを有し、上記第２プレート３の後端部には折曲片４が設けられ、その折曲片４の両端部に形成された一対の突片５のそれぞれがリベット６を介して第１プレート２に固着されている。
【００１６】
第１プレート２の両側の中央部および第２プレート３の前側後部には相反する方向に傾斜する傾斜部７が形成され、第１プレート２の両側には後端から上記傾斜部７の先端に至る範囲において一対の側板８が設けられている。また、第１プレート２の後端部には、ベルトＢの一端部ｂ1 を連結するベルト挿入孔９が形成されている。
【００１７】
第１プレート２と第２プレート３の対向面間に形成された空間はプレート挿入空間１０とされ、そのプレート挿入空間１０の前側開口部の両側には第１プレート２および第２プレート３によって両端部が支持された一対のピン１１が設けられ、各ピン１１を中心として係合爪１２が揺動自在に支持されている。
【００１８】
一対の係合爪１２のそれぞれ外側には操作片部１３が一体に設けられている。この一対の係合爪１２は、プレート挿入空間１０内に組込まれたばね１４により操作片部１３の端部が側板８のストッパとしての先端部８ａの外側に当接する方向に付勢されている。
【００１９】
第１プレート２および第２プレート３には、一対のピン１１内に先端縁から後端方向に向く切欠部１５が設けられ、その切欠部１５の閉塞端から第２プレート３の後端側に片寄った位置に振れ止めピン１６が設けられている。
【００２０】
タングプレート２０には第１ベルト挿入孔２１および第２ベルト挿入孔２２が並列に設けられている。また、タングプレート２０の両側には側板２３が設けられている。
【００２１】
タングプレート２０の上面に設けられた挾持プレート２４は、側板２３の内面によってスライド自在に案内されるガイド片２５を両端に有している。挾持プレート２４の一側縁には、第１ベルト挿入孔２１と第２ベルト挿入孔２２間に形成された柱部２６を包み込む折曲片２７が設けられている。この挾持プレート２４は、タングプレート２０の裏面側から第１ベルト挿入孔２１に挿入されて第２ベルト挿入孔２２に挿入されるベルトＢの他端部ｂ2 を、第２ベルト挿入孔２２の他側縁とで挾持してベルトＢを抜け止めするようになっている。
【００２２】
タングプレート２０の一側中央部には挿入プレート２８が一体に設けられている。挿入プレート２８はネック部２８ａの先端側に幅広のヘッド部２８ｂを設けた構成とされ、上記ネック部２８ａの両側には相反する方向に傾斜する押圧部としてのテーパ面２９が形成されて、ネック部２８ａの付根側の幅寸法がヘッド部２８ｂ側の幅寸法より広くされている。
【００２３】
挿入プレート２８には、一対の係合爪１２間に対する差し込み時に振れ止めピン１６が挿入されるピン挿入孔３０と、バックル本体１の切欠部１５に嵌合される振れ止め突部３１とが設けられている。
【００２４】
ここで、バックル本体１の一対の係合爪１２間にタングプレート２０の挿入プレート２８を差し込むと、図３に示すように、一対の係合爪１２がヘッド部２８ｂの後端部に係合して、バックル本体１とタングプレート２０が結合される。その結合状態において、操作片部１３の端部は側板８の先端部８ａに当接する状態を維持するようにされている。
【００２５】
また、バックル本体１とタングプレート２０の結合状態において、タングプレート２０の先端縁と係合爪１２の揺動中心側の端部外周間には遊びδが設けられ、その遊びδの範囲内においてタングプレート２０をさらに押し込むことができるようになっている。
【００２６】
上記の遊びδは、振れ止めピン１６とピン挿入孔３０の閉塞端間および振れ止め突部３１と切欠部１５の閉塞端間にも設けられている。
【００２７】
第１の実施形態で示すバックルは上記の構造から成り、バックル本体１とタングプレート２０の結合に対しては、タングプレート２０の挿入プレート２８を一対の係合爪１２間に差し込むようにする。
【００２８】
いま、一対の係合爪１２間に挿入プレート２８を挿入すると、ヘッド部２８ｂが一対の係合爪１２の先端部間を通過するとき、ヘッド部２８ｂの両側縁が係合爪１２の揺動側端部を押圧するため、係合爪１２はばね１４の弾性に抗して外側方に揺動し、ヘッド部２８ｂが一対の係合爪１２の先端部間を通過すると、ばね１４の弾性により、一対の係合爪１２は内方向に揺動して、図３に示すように、ヘッド部２８ｂの後端に係合し、その係合によってバックル本体１とタングプレート２０は結合状態とされる。
【００２９】
このとき、振れ止めピン１６はピン挿入孔３０内に挿入されると共に、振れ止め突部３１は切欠部１５内に嵌合されるため、バックル本体１とタングプレート２０は相対的に振れ止めされることになり、きわめて安定した結合状態を得ることができる。
【００３０】
また、バックル本体１とタングプレート２０の結合状態において、操作片部１３の端部はストッパとしての側板８の先端部８ａに当接する状態を維持するため、障害物に対する当接によって操作片部１３の端部が押し込まれて係合爪１２が係合解除方向に揺動するという不都合の発生はなく、きわめて安全である。
【００３１】
バックル本体１とタングプレート２０の結合状態では、図３に示すように、係合爪１２とタングプレート２０の相互間に、タングプレート２０の押し込みを可能とする遊びδが形成される。
【００３２】
そこで、その遊びδの範囲においてタングプレート２０を押し込むと、ネック部２８ａの両側に設けられたテーパ面２９が係合爪１２の揺動側端部を押圧し、その押圧により、係合爪１２は係合解除方向に揺動して、図５（Ｉ）に示すように、操作片部１３の端部がバックル本体１の外側方に大きく露出する状態とされる。その状態において、係合爪１２の操作片部１３の端部を指先で押圧すると、係合爪１２は外側方に揺動して、図５（II）に示すように、係合爪１２は係合解除状態となり、タングプレート２０を引くことによって一対の係合爪１２間から挿入プレート２８が抜け出し、バックル本体１とタングプレート２０とを結合解除とすることができる。
【００３３】
上記のように、タングプレート２０を遊びδの範囲において押し込むと、係合爪１２が外側方に向けて揺動して、操作片部１３の端部がバックル本体１の外側方に大きく露出するため、係合爪１２を簡単に係合解除させることができる。
【００３４】
図６は、この発明に係るバックルの第２の実施形態を示す。この実施形態では、ネック部２８ａの両側を平行面とし、そのネック部２８ａの後端にショルダ部２８ｃを設けた点で第１の実施形態で示すバックルと相違している。このため、第１の実施形態と同一部品には同一の符号を付して説明を省略する。
【００３５】
上記のように、ネック部２８ａの後端にショルダ部２８ｃを設けることにより、バックル本体１とタングプレート２０の結合状態（図６（Ｉ）に示す状態）でタングプレート２０を遊びδの範囲で押し込むことにより、ショルダ部２８ｃが係合爪１２の揺動側面部を押圧して、係合爪１２を外側方に向けて揺動させることができ、その揺動によって、図６（II）に示すように、操作片部１３の端部をバックル本体１の外側方に大きく露出させることができる。
【００３６】
このため、第１の実施形態と同様に、操作片部１３の端部の押圧が容易であって、係合爪１２を簡単に係合解除させることができる。
【図面の簡単な説明】
【００３７】
【図１】この発明に係るバックルの第１の実施形態を示す分解斜視図
【図２】図１に示すバックルの結合状態を示す平面図
【図３】図２の第２プレートを断面した状態の平面図
【図４】図２のIV−IV線に沿った断面図
【図５】（Ｉ）はタングプレートの押し込み状態を示す横断平面図、（II）はタングプレートの引き抜き状態を示す横断平面図
【図６】（Ｉ）はこの発明に係るバックルの第２の実施形態を示す横断平面図、（II）はバックルの押し込み状態を示す横断平面図
【図７】（Ｉ）は従来のターンバックルを示す平面図、（II）はバックルの結合状態を示す横断平面図
【符号の説明】
【００３８】
１  バックル本体
８  側板
８ａ  先端部（ストッパ）
１０  プレート挿入空間
１２  係合爪
１３  操作片部
１４  ばね
２０  タングプレート
２８  挿入プレート
２８ａ  ネック部
２８ｂ  ヘッド部
２８ｃ  ショルダ部
２９  テーパ面
δ  遊び
【図１】
2005160611.tif 000003
【図２】
2005160611.tif 000004
【図３】
2005160611.tif 000005
【図４】
2005160611.tif 000006
【図５】
2005160611.tif 000007
【図６】
2005160611.tif 000008
【図７】
2005160611.tif 000009